(57)【特許請求の範囲】
【請求項１】
交換レンズと、該交換レンズと通信可能なカメラ本体と、前記交換レンズと前記カメラ本体との間に装着可能なアクセサリとを備えるカメラシステムであって、
前記アクセサリは、該アクセサリに入力された信号を処理する際に使用される情報を記憶する記憶部と、前記カメラ本体から前記交換レンズへの通信を遮断する通信遮断手段を有し、
前記通信遮断手段は、前記カメラ本体からの命令に基づいて前記記憶部に記憶された情報を書き換える際に、前記カメラ本体から前記交換レンズへの通信を遮断することを特徴とするカメラシステム。
【請求項２】
前記アクセサリは、前記記憶部に記憶された情報を書き換える際に、前記交換レンズに向けて省電力状態へ移行する命令を送信することを特徴とする請求項１に記載のカメラシステム。
【請求項３】
交換レンズと、該交換レンズと通信可能なカメラ本体と、前記交換レンズと前記カメラ本体との間に装着可能なアクセサリとを備えるカメラシステムであって、
前記アクセサリは、該アクセサリに入力された信号を処理する際に使用される情報を記憶する記憶部と、前記カメラ本体から前記交換レンズへの給電を遮断する給電遮断手段を有し、
前記給電遮断手段は、前記カメラ本体からの命令に基づいて前記記憶部に記憶された情報を書き換える際に、前記カメラ本体から前記交換レンズへの給電を遮断することを特徴とするカメラシステム。
【請求項４】
交換レンズと、該交換レンズと通信可能なカメラ本体と、前記交換レンズと前記カメラ本体との間に装着されるアクセサリとを備えるカメラシステムであって、
前記アクセサリは、該アクセサリに入力された信号を処理する際に使用される情報を記憶する記憶部を有し、
前記カメラ本体は、前記記憶部に記憶された情報を書き換えることを示す信号を前記交換レンズに送信し、
前記交換レンズは、前記信号を受信すると前記信号が送信された後に前記カメラ本体から送信される命令に応答しないように制御状態を切り替えることを特徴とするカメラシステム。
【請求項５】
前記情報は、前記交換レンズから受信した固有情報を補正するための情報、または、ファームウェアに関する情報であることを特徴とする請求項１乃至４のいずれか１項に記載のカメラシステム。
【請求項６】
交換レンズが着脱可能なカメラ本体であって、
さらに前記交換レンズと前記カメラ本体の間にアクセサリが着脱可能であり、前記アクセサリは、該アクセサリに入力された信号を処理する際に使用される情報を記憶する記憶部を有し、
前記アクセサリが装着された状態で前記記憶部に記憶された情報を書き換える際に、前記カメラ本体と前記交換レンズとの通信を遮断させるための命令を前記アクセサリに出力する出力手段を備えることを特徴とするカメラ本体。
【請求項７】
交換レンズと、該交換レンズと通信可能なカメラ本体との間に装着可能なアクセサリであって、
該アクセサリに入力された信号を処理する際に使用される情報を記憶する記憶部と、前記カメラ本体から前記交換レンズへの通信を遮断する通信遮断手段を有し、
前記アクセサリが前記カメラ本体と前記交換レンズの間に装着された状態で、前記カメラ本体からの命令に基づいて前記記憶部に記憶された情報を書き換える際に、前記通信遮断手段は、前記カメラ本体から前記交換レンズへの通信を遮断することを特徴とするアクセサリ。
【請求項８】
交換レンズが着脱可能なカメラ本体であって、
さらに前記交換レンズと前記カメラ本体の間にアクセサリが着脱可能であり、前記アクセサリは、該アクセサリに入力された信号を処理する際に使用される情報を記憶する記憶部を有し、
前記アクセサリが装着された状態で前記記憶部に記憶された情報を書き換える際に、前記カメラ本体から前記交換レンズへの給電を遮断させるための命令を前記アクセサリに出力する出力手段を備えることを特徴とするカメラ本体。
【請求項９】
交換レンズと、該交換レンズと通信可能なカメラ本体との間に装着可能なアクセサリであって、
該アクセサリに入力された信号を処理する際に使用される情報を記憶する記憶部と、前記カメラ本体から前記交換レンズへの給電を遮断する給電遮断手段を有し、
前記アクセサリが前記カメラ本体と前記交換レンズの間に装着された状態で、前記カメラ本体からの命令に基づいて前記記憶部に記憶された情報を書き換える際に、前記給電遮断手段は、前記カメラ本体から前記交換レンズへの給電を遮断することを特徴とするアクセサリ。
【請求項１０】
カメラ本体に着脱可能な交換レンズであって、前記カメラ本体と前記交換レンズの間にアクセサリが着脱可能であり、
前記アクセサリは、該アクセサリに入力された信号を処理する際に使用される情報を記憶する記憶部を有し、
前記アクセサリが装着された状態で、前記カメラ本体は、前記記憶部に記憶された情報を書き換えることを示す信号を前記交換レンズに送信し、
前記交換レンズは、前記信号を受信すると前記信号が送信された後に前記カメラ本体から送信される命令に応答しないように制御状態を切り替えることを特徴とする交換レンズ。
【請求項１１】
交換レンズと、該交換レンズと通信可能なカメラ本体との間に装着可能なアクセサリの制御方法であって、
前記アクセサリには、前記アクセサリに入力された信号を処理する際に使用される情報が記憶されており、
前記アクセサリにおいて前記カメラ本体から前記交換レンズへの通信を遮断する工程と、
前記カメラ本体から受信した命令に基づいて前記記憶された情報を書き換える工程を含むことを特徴とするアクセサリの制御方法。
【請求項１２】
交換レンズと、該交換レンズと通信可能な調整用工具と、前記交換レンズと前記調整用工具との間に装着可能なアクセサリとを備える通信システムであって、
前記アクセサリは、該アクセサリに入力された信号を処理する際に使用される情報を記憶する記憶部と、前記調整用工具から前記交換レンズへの通信を遮断する通信遮断手段を有し、
前記通信遮断手段は、前記調整用工具からの命令に基づいて前記記憶部に記憶された情報を書き換える際に、前記調整用工具から前記交換レンズへの通信を遮断することを特徴とする通信システム。
【請求項１３】
前記アクセサリは、前記記憶部に記憶された情報を書き換える際に、前記交換レンズに向けて省電力状態へ移行する命令を送信することを特徴とする請求項１２に記載の通信システム。
【請求項１４】
交換レンズと、該交換レンズと通信可能な調整用工具と、前記交換レンズと前記調整用工具との間に装着可能なアクセサリとを備える通信システムであって、
前記アクセサリは、該アクセサリに入力された信号を処理する際に使用される情報を記憶する記憶部と、前記調整用工具から前記交換レンズへの給電を遮断する給電遮断手段を有し、
前記給電遮断手段は、前記調整用工具からの命令に基づいて前記記憶部に記憶された情報を書き換える際に、前記調整用工具から前記交換レンズへの給電を遮断することを特徴とする通信システム。
【請求項１５】
交換レンズと、該交換レンズと通信可能な調整用工具と、前記交換レンズと前記調整用工具との間に装着されるアクセサリとを備える通信システムであって、
前記アクセサリは、該アクセサリに入力された信号を処理する際に使用される情報を記憶する記憶部を有し、
前記調整用工具は、前記記憶部に記憶された情報を書き換えることを示す信号を前記交換レンズに送信し、
前記交換レンズは、前記信号を受信すると前記信号が送信された後に前記調整用工具から送信される命令に応答しないように制御状態を切り替えることを特徴とする通信システム。
【請求項１６】
前記情報は、前記交換レンズから受信した固有情報を補正するための情報、または、ファームウェアに関する情報であることを特徴とする請求項１２乃至１５のいずれか１項に記載の通信システム。
【請求項１７】
交換レンズが着脱可能な調整用工具であって、
さらに前記交換レンズと前記調整用工具の間にアクセサリが着脱可能であり、前記アクセサリは、該アクセサリに入力された信号を処理する際に使用される情報を記憶する記憶部を有し、
前記アクセサリが装着された状態で前記記憶部に記憶された情報を書き換える際に、前記調整用工具と前記交換レンズとの通信を遮断させるための命令を前記アクセサリに出力する出力手段を備えることを特徴とする調整用工具。
【請求項１８】
交換レンズと、該交換レンズと通信可能な調整用工具との間に装着可能なアクセサリであって、
該アクセサリに入力された信号を処理する際に使用される情報を記憶する記憶部と、前記調整用工具から前記交換レンズへの通信を遮断する通信遮断手段を有し、
前記アクセサリが前記調整用工具と前記交換レンズの間に装着された状態で、前記調整用工具からの命令に基づいて前記記憶部に記憶された情報を書き換える際に、前記通信遮断手段は、前記調整用工具から前記交換レンズへの通信を遮断することを特徴とするアクセサリ。
【請求項１９】
交換レンズが着脱可能な調整用工具であって、
さらに前記交換レンズと前記調整用工具の間にアクセサリが着脱可能であり、前記アクセサリは、該アクセサリに入力された信号を処理する際に使用される情報を記憶する記憶部を有し、
前記アクセサリが装着された状態で前記記憶部に記憶された情報を書き換える際に、前記調整用工具から前記交換レンズへの給電を遮断させるための命令を前記アクセサリに出力する出力手段を備えることを特徴とする調整用工具。
【請求項２０】
交換レンズと、該交換レンズと通信可能な調整用工具との間に装着可能なアクセサリであって、
該アクセサリに入力された信号を処理する際に使用される情報を記憶する記憶部と、前記調整用工具から前記交換レンズへの給電を遮断する給電遮断手段を有し、
前記アクセサリが前記調整用工具と前記交換レンズの間に装着された状態で、前記調整用工具からの命令に基づいて前記記憶部に記憶された情報を書き換える際に、前記給電遮断手段は、前記調整用工具から前記交換レンズへの給電を遮断することを特徴とするアクセサリ。
【請求項２１】
調整用工具に着脱可能な交換レンズであって、前記調整用工具と前記交換レンズの間にアクセサリが着脱可能であり、
前記アクセサリは、該アクセサリに入力された信号を処理する際に使用される情報を記憶する記憶部を有し、
前記アクセサリが装着された状態で、前記調整用工具は、前記記憶部に記憶された情報を書き換えることを示す信号を前記交換レンズに送信し、
前記交換レンズは、前記信号を受信すると前記信号が送信された後に前記調整用工具から送信される命令に応答しないように制御状態を切り替えることを特徴とする交換レンズ。
【請求項２２】
交換レンズと、該交換レンズと通信可能な調整用工具との間に装着可能なアクセサリの制御方法であって、
前記アクセサリには、前記アクセサリに入力された信号を処理する際に使用される情報が記憶されており、
前記アクセサリにおいて前記調整用工具から前記交換レンズへの通信を遮断する工程と、
前記調整用工具から受信した命令に基づいて前記記憶された情報を書き換える工程を含むことを特徴とするアクセサリの制御方法。
【発明の詳細な説明】
【技術分野】
【０００１】
本発明は、カメラ本体、交換レンズ、カメラ本体と交換レンズとの間に装着されるアクセサリ、及び、カメラ本体と交換レンズとアクセサリとを含むカメラシステムに関するものである。
【背景技術】
【０００２】
従来、カメラ本体と交換レンズ間で通信が可能なように構成されたカメラシステムにおいて、交換レンズには当該交換レンズの光学的な固有情報が電子データとして格納されている。光学的な固有情報とは例えば、レンズ移動量とピント移動量との関係を示すデータ、ピント補正量に関するデータ、焦点距離データ、絞りデータ等である。これらの固有情報を適切なタイミングでカメラに伝達することでオートフォーカス（ＡＦ）や、オートエクスポージャ（ＡＥ）等が行われている。
【０００３】
また、カメラ本体と交換レンズの間にアクセサリを装着して使用する場合がある。その際、交換レンズ＋アクセサリの光学的固有情報は、交換レンズ単体の光学的固有情報とは異なる。そのため、カメラ本体、又は交換レンズにてアクセサリの接続を検出して上記光学的固有情報を補正するものがある。
【０００４】
しかしながら、設計の旧いカメラ本体及び交換レンズと、設計の新しいアクセサリが組み合わせて用いられた場合、上記のような光学的固有情報の補正ができないと言う問題があった。なお上記の設計の新旧という言葉は、以下のような意味で使用している。すなわち、従来のカメラ本体、又は交換レンズ（旧設計のカメラ本体及び交換レンズ）では検出できない、又は補正値を持っていないアクセサリ（新設計のアクセサリ）が新たに開発された場合である。
【０００５】
上記問題を解決するために、特許文献１では、アクセサリの中にＣＰＵを持ち、カメラと交換レンズとの間の必要な通信のみを途中で変換して、光学的固有情報をアクセサリを加味したものに補正することを開示している。また、特許文献２では、カメラ本体及び交換レンズのシステムがアクセサリよりも旧い場合は、アクセサリにおいて交換レンズの光学的固有情報を補正し、カメラに送信することを開示している。
【先行技術文献】
【特許文献】
【０００６】
【特許文献１】特開昭６３−１９９３３６号公報
【特許文献２】特開２００２−３４１４２４号公報
【発明の概要】
【発明が解決しようとする課題】
【０００７】
カメラ、レンズ、アクセサリそれぞれの個体製造バラツキにより、上記光学的固有情報を変更する必要が生じる場合がある。その際、前述のようなシステムの新旧の制約から、アクセサリ内の補正データを書換える必要がある。また、システムの柔軟性を確保するためには、アクセサリがユーザーの手元に渡った後でも、アクセサリ内部のデータやファームウェアをアップデートできることが望ましい。更に言えば、そのための特殊な入力端子や追加部品なしで上記のことを行うためには、既存のカメラマウントを通してアクセサリを操作することが必要である。
【０００８】
アクセサリは通常、カメラ本体と交換レンズが組み合わされて始めて動作するものであり、ユーザー自身がファームウェアのアップデート等を行う場合、レンズをつけたままの状態で行う可能性がある。特許文献１、２の様な構成でカメラからアクセサリへの通信を行う場合、補正する必要のある情報はアクセサリ内で処理され、それ以外の情報はカメラからレンズに直接送られる。そのため、例えばアクセサリ内の情報を書き換えるための専用コマンドを新たに設けカメラ側から送信すると、レンズ側もそのコマンドを受け取ることになる。しかしながら、レンズ側がそのコマンドを知らない場合、例えば、フォーカスレンズや絞りが勝手に動いてしまう、レンズ内のデータが書き換わる等の誤動作を起こしてカメラシステム全体に悪影響を及ぼす可能性がある。
【０００９】
そこで、本発明は、アクセサリと共に交換レンズが装着された状態でも、交換レンズに誤動作を生じさせずにアクセサリ内の情報を書き換えることができるカメラシステムを提供することを目的とする。
【課題を解決するための手段】
【００１０】
上記目的を達成するために、本発明のカメラシステムは、交換レンズと、該交換レンズと通信可能なカメラ本体と、前記交換レンズと前記カメラ本体との間に装着可能なアクセサリとを備え、前記アクセサリは、該アクセサリに入力された信号を処理する際に使用される情報を記憶する記憶部と、前記カメラ本体から前記交換レンズへの通信を遮断する通信遮断手段を有し、前記通信遮断手段は、前記カメラ本体からの命令に基づいて前記記憶部に記憶された情報を書き換える際に、前記カメラ本体から前記交換レンズへの通信を遮断することを特徴とする。
【００１１】
また、本発明のカメラシステムは、交換レンズと、該交換レンズと通信可能なカメラ本体と、前記交換レンズと前記カメラ本体との間に装着可能なアクセサリとを備え、前記アクセサリは、該アクセサリに入力された信号を処理する際に使用される情報を記憶する記憶部と、前記カメラ本体から前記交換レンズへの給電を遮断する給電遮断手段を有し、前記給電遮断手段は、前記カメラ本体からの命令に基づいて前記記憶部に記憶された情報を書き換える際に、前記カメラ本体から前記交換レンズへの給電を遮断することを特徴とする。
【００１２】
また、本発明のカメラシステムは、交換レンズと、該交換レンズと通信可能なカメラ本体と、前記交換レンズと前記カメラ本体との間に装着されるアクセサリとを備え、前記アクセサリは、該アクセサリに入力された信号を処理する際に使用される情報を記憶する記憶部を有し、前記カメラ本体は、前記記憶部に記憶された情報を書き換えることを示す信号を前記交換レンズに送信し、前記交換レンズは、前記情報を受信すると前記信号が送信された後に前記カメラ本体から送信される命令に応答しないように制御状態を切り替えることを特徴とする。
【００１３】
また、本発明のアクセサリの制御方法は、交換レンズと、該交換レンズと通信可能なカメラ本体との間に装着可能なアクセサリの制御方法であって、前記アクセサリには、前記アクセサリに入力された信号を処理する際に使用される情報が記憶されており、前記アクセサリにおいて前記カメラ本体から前記交換レンズへの通信を遮断する工程と、前記カメラ本体から受信した命令に基づいて前記記憶された情報を書き換える工程を含むことを特徴とする。
【発明の効果】
【００１４】
本発明によれば、アクセサリと共に交換レンズが装着された状態でも、交換レンズに誤動作を生じさせずにアクセサリ内の情報を書き換えることができるカメラシステムを提供することができる。
【図面の簡単な説明】
【００１５】
【図１】カメラ−交換レンズ接続の基本的な構成を表すブロック図
【図２】カメラ−アクセサリ交換レンズ接続の基本的な構成を表すブロック図
【図３】第１実施形態におけるフローチャート図
【図４】第１実施形態におけるフローチャート図
【図５】第１実施形態におけるタイミングチャート図
【図６】第２実施形態におけるフローチャート図
【図７】第３実施形態におけるフローチャート図
【図８】カメラ−アクセサリ交換レンズ接続の基本的な構成を表すブロック図
【発明を実施するための形態】
【００１６】
以下に、本発明の好ましい実施形態を、添付の図面に基づいて詳細に説明する。
【００１７】
（第１実施形態）
以下、図１〜図５を参照して、本発明の第１実施形態によるカメラシステムの動作について説明する。
【００１８】
まず、図１は本発明の実施形態に係る基本的な構成を示すブロック図である。本カメラシステムにおいて、交換レンズ１０１とカメラ本体１０９は、図１に示すように通信端子１０４と１１１を介して通信が可能である。通常、この通信によりカメラ、レンズ各々の状態や光学的固有情報、駆動命令などをやり取りすることでカメラシステムとして動作する。カメラシステムは、交換レンズ１０１、カメラ本体１０９、交換レンズ１０１とカメラ本体１０９との間に装着されるアクセサリ１０５を備える。
【００１９】
交換レンズ１０１は、交換レンズ内の制御を行うレンズ内ＣＰＵ１０２や、ＡＦ用レンズ、ズーミングレンズ、補正レンズ等を含む光学系１１６や、それらを駆動する駆動手段等を備える。また、ズーミングレンズの位置を検出するためのズーム位置検出用ブラシ、ＡＦレンズの位置を検出するためのフォーカス位置検出用ブラシを備える。さらに、補正レンズの位置を検出する位置検出部、交換レンズの振れを検出する振れ検出部を備える。
【００２０】
カメラ本体１０９は、例えば、カメラシステムの制御を行うカメラ内ＣＰＵ１１０や、不図示の測光部、測距部、撮像素子（ＣＣＤやＣＭＯＳセンサ等）の露光時間を制限するためのシャッター機構やカメラの各種情報を表示する表示手段等を備える。
【００２１】
アクセサリ１０５は、例えば、光学系１１７を備えるワイドコンバータ、テレサイドコンバータ、クローズアップレンズ、エクステンダー等を用いることができる。
【００２２】
レンズ内ＣＰＵ１０２内の不図示の記憶部（例えば、電気的に書き換え可能なＦｌａｓｈＲＯＭ等）には、交換レンズの光学的固有情報が格納されており、通信端子１０４及び１１１を介してカメラ内ＣＰＵ１１０に送信する。光学的固有情報とは、例えばレンズ移動量とピント移動量との関係を示すデータ、ピント補正量に関するデータ、焦点距離データ、絞りデータ等である。
【００２３】
交換レンズの光学系１１６を通った光束はメインミラー１１８にて図示しないファインダーへ導かれる光束と、ＡＦセンサ１１９へ導かれる光束とに分割される。カメラ内ＣＰＵ１１０はＡＦセンサ１１９の出力を処理して焦点検出を行い、前述の光学的固有情報と合わせて、交換レンズの光学系１１６に含まれるＡＦ用レンズの駆動量を算出する。
【００２４】
カメラ内ＣＰＵ１１０は算出したレンズ駆動量を通信端子１１１及び１０４を介してレンズ内ＣＰＵ１０２へ伝達する。レンズ内ＣＰＵ１０２は受信したレンズ駆動量に応じてレンズ駆動手段１２２を制御して、交換レンズの光学系１１６に含まれるＡＦ用レンズを駆動する。
【００２５】
また、図示しないレリーズスイッチの押下により、撮影命令がカメラ内ＣＰＵ１１０に伝達されると、カメラ内ＣＰＵ１１０が、図示しない測光センサもしくはユーザーが設定した絞り値に応じた絞り駆動量を算出する。そして、通信端子１１１及び１０４を介してレンズ内ＣＰＵ１０２へ算出された駆動量を送信する。レンズ内ＣＰＵ１０２は受信した絞り駆動量に応じて絞り駆動手段１２１を制御して絞り１１５を駆動する。更に、カメラ内ＣＰＵ１１０はメインミラー１１８と撮像素子１２０の前面に設置された図示しないシャッターを駆動し、光束が撮像素子１２０へと導かれ撮影が行われる。
【００２６】
図２は、交換レンズ１０１とカメラ本体１０９との間にアクセサリ１０５を装着した場合を示している。交換レンズ１０１−アクセサリ１０５間、及び、アクセサリ１０５−カメラ本体１０９間は、例えば不図示のマウントによって接続される。このとき、アクセサリ１０５は、通信端子１０７を介してレンズ側通信端子１０４に接続され、通信端子１０８を介してカメラ側通信端子１１１に接続されており、交換レンズ１０１とカメラ本体１０９とアクセサリ１０５とは相互に通信可能である。アクセサリ内ＣＰＵ（ＥＸＴ内ＣＰＵ）１０６は、アクセサリに入力された信号を処理する信号処理部である。ＥＸＴ内ＣＰＵ１０６は、不図示の通信装置を備えており、カメラ−レンズ間通信をモニタすることが可能である。カメラ−レンズ間通信は、通信遮断スイッチ１０３が接続されていればカメラからレンズへ直接行われるが、通信遮断スイッチ１０３が遮断状態ならば直接は通信が伝わらないようになっている。なお、本実施形態におけるアクセサリはエクステンダーとして説明する。
【００２７】
図２においてアクセサリ内ＣＰＵ（ＥＸＴ内ＣＰＵ）１０６は、記憶部１１４を備えており、交換レンズから送られてきた光学的固有情報を補正するための情報やファームウェア等のＥＸＴ内ＣＰＵ１０６で信号処理を行う際に使用される情報が格納されている。ここで、記憶部１１４は、電気的に書き換え可能なＦｌａｓｈＲＯＭ等を用いることができる。さらに、ＥＸＴ内ＣＰＵ１０６内に設けられている必要はなく、ＥＸＴ内ＣＰＵ１０６が記憶部１１４から情報を引き出せる構成であればよい。また、ＥＸＴ内ＣＰＵ１０６は、通信端子１０７、１０８を介して交換レンズとカメラ本体間の通信をモニタしている。更に、ＥＸＴ内ＣＰＵ１０６は通信遮断スイッチ１０３を操作可能であり、カメラ−レンズ間通信（直接通信）を遮断して、カメラ−レンズ間の通信内容を操作することが可能である。
【００２８】
ここで、図３のフローチャートを用いてピント補正量に関するデータ（ＢＰと呼ぶことにする）をエクステンダーが変換する様子を説明する。まず、ＥＸＴ内ＣＰＵ１０６は通信端子１０７、１０８から、カメラ−レンズ間通信をモニタしている（Ｓ３０１）。モニタ中にカメラがレンズにＢＰ要求命令を送信したことを検出したら（Ｓ３０２）、通信遮断スイッチ１０３を操作してカメラ−レンズ間通信を遮断する（Ｓ３０３）。その後、ＥＸＴ内ＣＰＵ１０６はレンズＣＰＵ１０２に対して焦点距離情報要求命令を送信し、ＢＰを変換するために必要な情報の一つである、焦点距離情報を取得する（Ｓ３０４）。更に、ＥＸＴ内ＣＰＵ１０６はレンズＣＰＵ１０２に対して物体距離情報要求命令を送信し、ＢＰを変換するために必要な情報の一つである、物体距離情報を取得する（Ｓ３０５）。ＥＸＴ内ＣＰＵ１０６は得られた焦点距離情報と物体距離情報から、エクステンダーに対応した新たなＢＰを算出する（Ｓ３０６）。なお、ここでは算出としているが、予め持ったテーブルデータから値を選択するようにしても良い。その後、算出した新たなＢＰをカメラＣＰＵ１１０に送信する（Ｓ３０７）。送信が完了したら、再び通信遮断スイッチ１０３を操作してカメラ−レンズ間通信を再開させる（Ｓ３０８）。その後はＳ３０１に戻り、再びカメラがＢＰ要求命令を送信してくるまでカメラ−レンズ間通信をモニタし続ける。
【００２９】
上記のようなカメラ−レンズ−エクステンダーからなるシステムにおいて、カメラ側からエクステンダー内のデータやファームウェアを書き換える場合の情報書き換え方法について、図４のフローチャートを用いて説明する。まず、ＥＸＴ内ＣＰＵ１０６は通信端子１０７、１０８から、カメラ−レンズ間通信をモニタしている（Ｓ４０１）。モニタ中にカメラがレンズに単独動作命令を送信したことを検出したら（Ｓ４０２）、ＥＸＴ内ＣＰＵ１０６は通信遮断スイッチ１０３を操作してカメラ−レンズ間通信を遮断する（Ｓ４０３）。ここで、単独動作命令とは、通常は交換レンズの光学的固有情報を補正しているエクステンダーが、交換レンズの状態によらず、カメラ側と独自に通信を行うためのトリガとなる命令である。そのため、この命令は形式的にはカメラからレンズに対して送信されるが、レンズはこの命令に対する明確な動作を定義されている必要はなく、この命令を検出したエクステンダーが、以下の振る舞いをする。すなわち、ＥＸＴＣＰＵ１０６は、レンズＣＰＵ１０２に対して、省電力状態に移行するためのホルト命令を送信する（Ｓ４０４）。ここで、省電力状態とは、交換レンズ１０１内の回路システムへの給電を制限した状態や、レンズＣＰＵ１０２の動作周波数を低減した状態や、演算処理を停止した状態等をさす。その後、エクステンダー内のデータやファームウェアを書き換えるための命令がカメラ側から送信されてきたら（Ｓ４０５）、送信されてきた命令をＥＸＴ内ＣＰＵ１０６が実行し、記憶部１１４の情報を書き換える（Ｓ４０６）。
【００３０】
Ｓ４０３において、カメラからレンズへの通信及びレンズからカメラへの通信の双方を遮断するようにしてもよいが、カメラからレンズへの通信のみを遮断するようにしてもよい。とにかく、記憶部１１４の情報を書き換える際に、カメラ本体側からの信号が交換レンズ側へ送信されることを防ぐように構成されていればよい。
【００３１】
次に、図５のタイミングチャートを用いて各ＣＰＵ間の通信の流れを説明する。図５において、（１）はカメラ内ＣＰＵ１１０からエクステンダー側への通信、（２）はＥＸＴ内ＣＰＵ１０６からカメラ内ＣＰＵ１１０への通信を表しており、これは図２における通信端子１０８、１１１上を流れる通信に相当する。また、（３）はＥＸＴ内ＣＰＵ１０６からレンズ内ＣＰＵ１０２への通信、（４）はレンズ内ＣＰＵ１０２からからエクステンダー側への通信を表しており、これは図２における通信端子１０４、１０７上を流れる通信に相当する。ここで、エクステンダー側と表現しているのは、必ずしもＥＸＴＣＰＵ１０６を示していない。通信遮断スイッチ１０３が接続された状態、つまりカメラとレンズが直接通信可能な状態では、カメラ内ＣＰＵ１１０からエクステンダー側への通信は、そのままレンズＣＰＵ１０２に到達する。逆に、レンズ内ＣＰＵ１０２からエクステンダー側への通信は、そのままカメラ内ＣＰＵ１０６に到達する。また、本実施形態では、カメラ側からの通信内容に対して、レンズ内ＣＰＵ１０２、もしくはＥＸＴ内ＣＰＵ１０６が返答を返すというシステムを想定している。図５中で、カメラ側からの通信１、２、３、・・・・に対する答えが１＃、２＃、３＃、・・・となる。また、初期状態では通信遮断スイッチ１０３が接続されている。
【００３２】
図５（１）において、３のタイミングで単独動作命令がエクステンダー側に送られると、その命令はレンズ内ＣＰＵ１０２に到達すると同時にＥＸＴ内ＣＰＵ１０６でも検出されている。そこでＥＸＴ内ＣＰＵ１０６は通信遮断スイッチ１０３を遮断してカメラ−レンズ間の直接通信を遮断し、レンズ内ＣＰＵ１０２に対してホルト命令を送信する。ここまでは、先の図４のフローチャートで言うところのＳ４０１〜Ｓ４０４に相当する。その後、カメラ内ＣＰＵ１１０からエクステンダー側に送られてきた命令は全てＥＸＴ内ＣＰＵ１０６が対応し、カメラ内ＣＰＵ１１０に対して返答する。
【００３３】
本実施形態では、カメラ側に取り付けるのはカメラ本体という想定であるが、これに限ったことではなく、カメラ本体同様の通信機能を備えた調整用工具などでも良い。
【００３４】
本実施形態に拠れば、交換レンズの設計が旧くエクステンダーの存在や単独動作命令を認識できない場合でも、エクステンダーがカメラ−レンズ間通信を遮断しレンズの動作を止めてしまうので、レンズの誤作動を防ぐことができる。
【００３５】
（第２実施形態）
以下、図８、図６を参照して、本発明の第２実施形態によるカメラシステムの動作について説明する。
【００３６】
基本的な構成は第１実施形態と同様であるため説明を割愛し、第１実施形態と異なる部分のみを説明する。まず図８は、図２に対してＣＰＵ等へ給電する電源とその給電経路を追記したものである。（当然、図２の構成でも電源は必要だが、説明上必要ないので省略していた。）ここで、エクステンダー内には給電遮断スイッチ１１２が新たに設けられている。このスイッチは必要に応じてＥＸＴ内ＣＰＵ１０６によって開閉可能である。給電遮断スイッチ１１２を開いた時、すなわち給電経路を遮断した時にはＥＸＴ内ＣＰＵ１０６に給電されるが、レンズ内ＣＰＵ１０２への給電は断たれる。
【００３７】
図６は、本実施形態におけるフローチャートである。図４とのフローチャートとの違いは、図４におけるＳ４０４が、図６ではＳ６０４になっている点だけであり、その他は動作も同じであるので説明を割愛する。ＥＸＴ内ＣＰＵ１０６は、単独動作命令を検出し、通信遮断スイッチ１０３を操作してカメラ−レンズ間通信を遮断した後、Ｓ６０４において給電遮断スイッチ１１２を操作して交換レンズへの給電を遮断する。なお、この場合レンズは動作しなくなるため必ずしもカメラ−レンズ間通信経路を遮断する必要はなく、Ｓ４０３のステップは実行しなくとも良い。
【００３８】
本実施形態に拠れば、交換レンズの設計が旧くエクステンダーの存在や単独動作命令を認識できない場合でも、エクステンダーがレンズへの給電を遮断しレンズの動作を止めてしまうので、レンズの誤作動を防ぐことができる。
【００３９】
（第３実施形態）
以下、図２、図７を参照して、本発明の第３実施形態によるカメラシステムの動作について説明する。
【００４０】
基本的な構成は第１実施形態と同様であるため説明を割愛し、第１実施形態と異なる部分のみを説明する。第１実施形態では、カメラ内ＣＰＵ１１０からエクステンダーの単独動作命令が送られてきたら、エクステンダーのみが対応していた。本実施形態では、交換レンズ自身がエクステンダーの存在と単独動作命令を認識できる場合における、交換レンズの振る舞いについて図７のフローチャートを用いて説明する。
【００４１】
まず、レンズ内ＣＰＵ１０２はカメラ内ＣＰＵ１１０からの命令を受信する（Ｓ７０１）。単独動作命令が送られてきたかどうかを判別し（Ｓ７０２）、単独動作命令でない場合は、その時の命令に対する処理を実行する（Ｓ７０３）。単独動作命令が送られてきた場合は、自らをそれ以降の命令に反応しない状態とするため、レンズ内ＣＰＵ１０２自身を、通信割り込み禁止状態とし（Ｓ７０４）、自らを省電力状態とする（Ｓ７０５）。
【００４２】
また、上記のように通信禁止にはせずに、単にカメラ内ＣＰＵ１１０から送られてきた命令を無視する（反応しない）だけにしても良い。つまり、レンズ内ＣＰＵ１０２（制御部）は、カメラ内ＣＰＵ１１０から送られてきた命令に応答しない制御を行えばよい。更に省電力状態とせず、単に通信待機状態とするだけでも良い。
【００４３】
本実施形態に拠れば交換レンズ自身が、単独動作命令を識別してそれ以降の通信を無視するため、レンズの設計がエクステンダーよりも新しくエクステンダーがレンズを正常に識別できないような場合でも、レンズの誤作動を防ぐことができる。
【００４４】
また、第１実施形態と本実施形態を併せて実施すれば、より信頼性を上げることができる。
【００４５】
更に、図８のような給電遮断スイッチを持つような構成において、第２実施形態と本実施形態を併せて実施すれば、より信頼性を上げることができる。
【００４６】
以上、本発明の好ましい実施形態について説明したが、本発明はスチルカメラでもビデオカメラでも適用可能である。
【００４７】
また、本発明では、アクセサリ内のデータを書き換える場合、カメラ本体を介してアクセサリへ送られるため、一度カメラ本体へ書き換えのためのデータを供給する必要がある。その際、カメラ本体へのデータの供給は、書き換えデータが保存されたメモリ等をカメラ本体に設けられたスロットに挿入し、そこからカメラ本体がデータを読取りアクセサリに送信する構成でもよい。また、カメラ本体をＰＣにケーブル等で接続して、ＰＣから送られてきたデータをカメラ本体がアクセサリに送信する構成でもよい。さらには、カメラ本体ではなく、アクセサリ内のデータを書き換えるための専用機器にアクセサリを装着し、その専用機器からアクセサリへデータを送信する構成でもよい。
【００４８】
本発明はこれらの実施形態に限定されず、その要旨の範囲内で種々の変形及び変更が可能である。
【符号の説明】
【００４９】
１０１  交換レンズ
１０２  レンズ内ＣＰＵ
１０３  通信遮断スイッチ
１０５  アクセサリ
１０６  ＥＸＴ内ＣＰＵ
１０９  カメラ
１１０  カメラ内ＣＰＵ
１１２  給電遮断スイッチ
【図１】
0005618582.tif 000002
【図２】
0005618582.tif 000003
【図３】
0005618582.tif 000004
【図４】
0005618582.tif 000005
【図５】
0005618582.tif 000006
【図６】
0005618582.tif 000007
【図７】
0005618582.tif 000008
【図８】
0005618582.tif 000009